(57)【要約】【課題】木造建築の建物でも大きい収容スペースを確実に確保でき、新設窓枠を確実に支持でき、かつ取扱性や使い勝手を良好にできる改装サッシの提供。【解決手段】新設窓枠２０を既設窓枠９０よりも室外側に位置させ、大きな収容スペース１０７を確保した。新設窓枠２０を躯体に固定するだけはなく、延設部材４０の室外側にも補助的に支持させることで、躯体の固定部分にかかる負担を軽減し、躯体および延設部材４０で新設窓枠２０を確実に支持した。また、後付けする部材としては、新設窓枠２０と取付枠１０とに分割したので、取り扱いを良好にできる。加えて、延設部材４０を見込み方向にわたって直線的に形成し、すっきりとした単純な形状の収容スペース１０７にして使い勝手を良好にした。【選択図】　図１
2004100170.tif 000002
【特許請求の範囲】
【請求項１】
建物の開口部に取り付けられた既設窓枠を取り外すことなく、当該既設窓枠を覆うように取り付けられる改装サッシであって、
少なくとも前記開口部の内周側から固定される取付枠と、
前記既設窓枠よりも室外側にずれた位置で前記取付枠に取り付けられる新設窓枠と、
室外側の端部が前記新設枠の室内側の端部に固定され、かつ室内側の端部が室内空間側に延設された延設部材とを備えている改装サッシ。
【請求項２】
前記延設部材の室内側の端部には、額縁および／または機能ユニットが設けられている請求項１の改装サッシ。
【請求項３】
前記取付枠の上部内面および左右の側部内面のうち、少なくとも前記延設部材と対向する部分は、熱絶縁部材で覆われている請求項１または請求項２に記載の改装サッシ。
【請求項４】
前記取付枠の上部には横樋部が設けられ、左右の側部には当該横樋部と連通した縦樋部が設けられている請求項１ないし請求項３のいずれかに記載の改装サッシ。
【発明の詳細な説明】
【０００１】
【発明の属する技術分野】
本発明は、改装サッシに関する。
【０００２】
【背景技術】
従来より、建物の開口部に取り付けられた既設窓枠を取り外すことなく、新設窓枠を簡単に取り付けることができる、いわゆるカバー工法による改装サッシが知られている。このような改装サッシは、既設窓枠を覆うようにして新設窓枠を開口部の内周側から躯体に固定するので、外壁等を壊す必要がなく、特に外壁の止水処理が煩わしい木造の建物には有用である。また、改装サッシにおいては、新設窓枠を開口部の内周側に完全に納めてしまったのでは、新設窓枠の見付け寸法分だけ開口面積が小さくなるため、この新設窓枠を室外側に延設して持ち出し、この持ち出し部分を見付け方向の外側に位置させることで大きな開口面積を確保する場合がある（例えば、特許文献１）。
【０００３】
ところで、改装サッシを取り付ける場合に、新設窓枠をさらに室外側に延設させて持ち出し量をより大きくし、よって室内外にわたる見付け寸法をも大きくして、改装サッシ内の空間を大きな収容スペースとして利用することが考えられている。しかし、特許文献１に記載の改装サッシでは、新設窓枠の室外側への持ち出し量を大きくすると、室外側に配置される障子等により、躯体との固定部分から大きく離れた位置で荷重が集中するため、その固定部分への負担が増して耐久性が損なわれる可能性がある。また、見込み寸法が大きい大がかりな新設窓枠を用いることになるため、容易に取り扱うことができないという問題もある。
【０００４】
一方、ＲＣ工法の建物に適用される改装サッシでは、新設窓枠をより室外側に配置する場合に、開口部の左右両側の外壁表面に支柱を固定し、この支柱に出窓体を支持させ、この出窓体の室外側に新設窓枠を配置することが知られている（例えば、特許文献２）。このような構成によれば、新設窓枠は出窓体を介して外壁に固定支持されるので、固定部分と新設窓枠とがさほど離間せず、固定部分への負担を軽減できる。また、改装サッシとして後付けされる部材は、新設窓枠と出窓体に分割されるので、個々をさほど大きくする必要がなく、取扱性を改善できる。
【０００５】
【特許文献１】
実公昭６３−２９８２３号公報（第１図ないし第４図）。
【特許文献２】
実公平５−４３１８１号公報（第１図ないし第４図）。
【０００６】
【発明が解決しようとする課題】
しかしながら、特許文献２に示されるようなＲＣ工法の建物では、外壁がそのまま建物の躯体として機能するため、前述のような支柱を外壁に固定して新設窓枠を取り付けることが可能であるが、木造の建物の場合では、壁下地材上に塗られたモルタルや、壁下地材に張り付けられたサイディング等で外壁材が形成されているために、このような外壁材に支柱を固定したのでは、外壁材が破損してしまう可能性があり、特許文献２に記載の技術をそのまま利用することができない。このため、分割構造にして取扱性を向上させることはできても、より室外側に位置する新設窓枠を十分に支持できない可能性がある。
【０００７】
また、出窓体は、建物の開口部を囲うように大きく枠組みされるため、特許文献２の第３図に示されるように、内部に形成される空間としては、室内側が狭く、室外側が広い異形な空間となり、室外側の隅に置かれた収容物が室内側から取りにくいなど、使い勝手が悪いという問題がある。
【０００８】
本発明の目的は、木造建築の建物においても見込み方向に大きい収容スペースを確実に確保できるとともに、新設窓枠を確実に支持でき、かつ取扱性や使い勝手を良好にできる改装サッシを提供することにある。
【０００９】
【課題を解決するための手段】
本発明の改装サッシは、建物の開口部に取り付けられた既設窓枠を取り外すことなく、当該既設窓枠を覆うように取り付けられる改装サッシであって、少なくとも前記開口部の内周側から固定される取付枠と、前記既設窓枠よりも室外側にずれた位置で前記取付枠に取り付けられる新設窓枠と、室外側の端部が前記新設枠の室内側の端部に固定され、かつ室内側の端部が室内空間側に延設された延設部材とを備えていることを特徴とする。
【００１０】
この改装サッシによれば、取付枠を開口部の内側から躯体に固定し、取付枠の室内側に新設窓枠を取り付けることで、新設窓枠を既設窓枠よりも室外側に位置させ、よって見込み方向（以下、室内外方向という場合がある）にわたる大きな収容スペースを確保する。そして、この際には、新設窓枠が取付枠を介して躯体に固定されるだけではなく、延設部材の室外側にも固定されるので（前記特許文献２では、天板や床板が穿設窓枠に嵌り込んでいるだけである）、躯体および延設部材で新設窓枠が確実に支持される。また、後付けする部材としては、主に新設窓枠と取付枠とに分割されるので、取り扱いが良好である。加えて、延設部材は見込み方向にわたって形成されるので、すっきりとした単純な形状の収容スペースを確保でき、使い勝手が良好になる。
【００１１】
本発明の改装サッシでは、前記延設部材の室内側の端部に、額縁および／または機能ユニットを設けることが望ましい。
機能ユニットとしては、開口部を室内側から覆う扉や、洗面台と共に用いられるミラーパネル、流し台と共に用いられる網状のパネル体、あるいは、その他の任意のパネル体などが考えられる。
このような改装サッシによれば、改装サッシが設けられる場所（洗面所、キッチン、トイレ等）に応じた機能ユニットを設けることにより、改装後には大きな収容スペースが確保されるだけではなく、より機能性に優れたものにできる。
【００１２】
本発明の改装サッシでは、前記取付枠の上方の内面および左右側方の内面のうち、少なくとも前記延設部材と対向する部分を、熱絶縁部材で覆うことが望ましい。
このような改装サッシによれば、取付枠の一部が室外に露出して外気に冷却されても、延設部材と対向する部分には熱絶縁部材によって結露が発生せず、結露水が延設部材に悪さする心配がない。
【００１３】
本発明の改装サッシでは、前記取付枠の上部には横樋部を設け、左右の側部には当該横樋部と連通した縦樋部を設けることが好ましい。
このような改装サッシによれば、取付枠の上部や既設枠に結露が発生したり、雨水等が浸み入った場合は、これらの水滴が横樋部から縦樋部を通して確実に排水されるようになる。
【００１４】
【発明の実施の形態】
以下、本発明の一実施形態を図面に基づいて説明する。
図１、図２において、本実施形態に係る改装サッシ１は、木造の建物の既設窓枠９０を外すことなく、また、外壁１００や躯体であるまぐさ１０１、窓台１０２、および柱１０３を壊すことなく後付けされる、いわゆるカバー工法によって設置されるものである。具体的に、改装サッシ１は、それらの躯体に対して開口部１０４の内周側から固定される取付枠１０と、取付枠１０の室外側に固定される新設窓枠２０と、この新設窓枠２０内に配置される一対の障子３０と、取付枠１０を開口部１０４側から覆う筒状の延設部材４０と、延設部材４０の室内側に設けられた機能ユニットとしての開き内窓５０を備えており、本実施形態では引違い窓を形成している。
【００１５】
〔取付枠の説明〕
取付枠１０は、それぞれアルミの押出形材で形成された取付上枠１１、取付下枠１２、および左右の取付縦枠１３を四周枠組みした構成であり、既設窓枠９０および後述のブラケット１４に対して室外側から室内側に向けて挿入配置可能に設けられている。
【００１６】
取付上枠１１は、既設上枠９１を開口部１０４側から覆う平坦面部１１Ａを備えているとともに、平坦面部１１Ａの室内端側には固定部１１Ｂが設けられ、この平坦面部１１Ａおよび固定部１１Ｂを貫通する木ねじ１１１でまぐさ１０１に固定されている。
また、平坦面部１１Ａの室外側は、外壁１００を形成するサイディングあるいはモルタル等（本実施形態ではモルタル）の外壁材１０５よりもさらに室外側に延設された中空の延設部１１Ｃになっており、延設部１１Ｃの延設基端側の上部には別の取付片１１Ｄが設けられている。本実施形態では、この取付片１１Ｄと既設上枠９１の網戸レール９１Ａとがビス１１２で固定されている。
中空の延設部１１Ｃの室内側には、平坦面部１１Ａから上方に突出してスペーサ（調整材）に当接された当接片１１Ｅが設けられ、当接片１１Ｅと延設部１１Ｃとの間が横樋部１１Ｆとされ、万が一外壁材１０５および延設部１１Ｃ間のバックアップ材１１３およびコーキング材１１４が切れて、既設上枠９１と取付上枠１１との間に雨水が浸入したり、平坦面部１１Ａの上面側や既設上枠９１側に結露が生じても、その水滴がこの横樋部１１Ｆから取付縦枠１３側に排水されるようになっている。
【００１７】
取付下枠１２は、ピース状の複数のブラケット１４を介して窓台１０２に固定されている。具体的に、ステンレス等の金属製とされたブラケット１４は、大きな剛性を有して強度的に優位とされているとともに、既設下枠９２の見込み方向にわたる平坦面部１４Ａを備え、平坦面部１４Ａの室内側の端部を貫通する木ねじ１２１で窓台１０２に固定されている。平坦面部１４Ａの室外側には、取付下枠１２の室内側がビス１２２で固定されている。
ここで、平坦面部１４Ａのさらに室外側には、改装サッシ１全体の上下方向の取付基準面となる段差状の支持面１４Ｂが形成されており、この支持面１４Ｂ上に取付下枠１２が載置支持されている。さらに、支持面１４Ｂの室外側には下垂部１４Ｃが設けられ、下垂部１４Ｃは水平なビス１２３で位置決め用のブロック１５に固定されている。
このブロック１５は取付下枠１２の長手方向に沿って連続した通しの部材であって、室外側から既設下枠９２の網戸レール９２Ａ下方に当接されているとともに、木ねじ１２４で窓台１０２に固定されており、このブロック１５に下垂部１４Ｃを室外側から当接させることで、ブラケット１４の見込み方向の位置が決定されている。
【００１８】
取付縦枠１３も取付上枠１１と同様に、既設縦枠９３を開口部１０４側から覆う平坦面部１３Ａを備えているとともに、平坦面部１３Ａの室内端側には固定部１３Ｂが設けられ、この平坦面部１３Ａおよび固定部１３Ｂを貫通する木ねじ１３１で柱１０３に固定されている。
また、平坦面部１３Ａの室外側は、外壁材１０５よりもさらに室外側に延設された中空の延設部１３Ｃになっている。この延設部１３Ｃの延設基端側は、既設縦枠９３の網戸ガイド９３Ａの室外側面に当接されている。そして、この当接と取付上枠１１側での前述の当接とにより、既設窓枠９０に対する取付枠１０の見込み方向の位置決めがなされている。
ところで、既設窓枠９０では一般的に、既設上枠９１の網戸レール９１Ａと既設下枠９２の網戸レール９２Ａとは面一であるが、これらに対して既設縦枠９３の網戸ガイド９３Ａが面一ではなく、室内側にずれているものがある（本実施形態では面一）。このような場合では、取付枠１０全体の見込み方向の位置決めを上方の既設上枠９１との当接のみで行い、取付縦枠１３と既設縦枠９３の網戸ガイド９３Ａとの間には、適宜なシール材を介装する。
このような取付縦枠１３では、中空の延設部１３Ｃにおける前記取付上枠１１の横樋部１１Ｆに対応した位置に開口部１３Ｄ（図１）が設けられており、横樋部１１Ｆから排水される前述の雨水や結露水等が開口部１３Ｄから中空部分に入り込んで流れ落ち、外部に排水される。つまり、延設部１３Ｃの中空部分で縦樋部１３Ｅが形成されている。
【００１９】
また、取付枠１０の取付上枠１１および取付縦枠１３において、各平坦面部１１Ａ，１３Ａの延設部材４０と対向する部分には、その一面に発泡樹脂等で形成されたスポンジ状の熱絶縁部材１６（二点鎖線で図示）が貼設等によって取り付けられている。従って、この熱絶縁部材１６により各平坦面部１１Ａ，１３Ａの表面（開口部１０４側の面）が覆われることになり、各枠１１，１３の延設部１１Ｃ，１３Ｃが室外に露出していることで冷却された場合に、その熱が各平坦面部１１Ａ，１３Ａの表面に伝達されても、表面に結露が生じる心配がない。
【００２０】
〔新設窓枠の説明〕
新設窓枠２０は、新設上枠２１、新設下枠２２、および新設縦枠２３を四周枠組みした構成であり、既設窓枠９０よりも完全に室外側にずれた位置に取り付けられている。新設上枠２１および新設縦枠２３は、アルミの押出形材製であるのに対して、新設下枠２２は、アルミの押出形材製の室内部材２２１と、同じく押出形材製の室外部材２２２と、これら室内外部材２２１，２２２を連結する樹脂製の断熱部材２２３とで構成されている。
なお、本実施形態の新設下枠２２は、室内外部材２２１，２２２が同時に一体で押出成型され、その見込み方向の中間部分のポケットに断熱部材２２３を溶融して注入し、硬化した後にポケット部分を削除して室内外部材２２１，２２２同士を断熱部材２２３のみで連結させる構造である。ただし、断熱部材２２３を注入方式で形成する他、リジットな板状の樹脂材を１枚または複数枚用いて断熱部材を形成してもよく、このような場合では、予め個別に押出成型された室内外部材間に断熱部材がかしめ等で接合される。
【００２１】
新設上枠２１の上部には取付片２１１が設けられ、この取付片２１１がビス２１２で取付上枠１１の室外側の端部に固定されている。この際、取付片２１１と取付上枠１１との間には図示しない水密テープが挟持され、各上枠１１，２１間への雨水の浸入を防いでいる。新設上枠２１の下面には、外レール２１Ａが垂設され、この外レール２１Ａの室内側に断熱性カバー２１３がビス２１４で固定され、この断熱性カバー２１３によって新設上枠２１の室内側露出面部（室内側に露出する見えがかり部分）を被覆している。
また、断熱性カバー２１３は、その室内側の端部が木ねじ２１５で延設部材４０の室外側の端部に固定されている。これにより、新設上枠２１は断熱性カバー２１３を介して延設部材４０に固定されることになる。さらに、断熱性カバー２１３には、内レール２１Ｂを形成する部分が一体に設けられているとともに、この部分を補強するためのアルミの押出形材製の補強部材２１６が配置されている。
この補強部材２１６は、断熱性カバー２１３を貫通して取付上枠１１の延設部１１Ｃにビス２１７で固定されている。これにより、金属製の補強部材２１６は室内側に露出するが、断熱性カバー２１３が介在されているために、取付上枠１１や新設上枠２１からの熱伝導が抑えられ、結露する心配がない。
【００２２】
新設下枠２２は、室内部材２２１の下端が室内側からのビス２２４で取付下枠１２に固定されている。また、室外部材２２２にあっては、下方に延びた下垂辺部分が取付下枠１２の鉛直面にビス２２５で固定されている。新設下枠２２の室外部材２２２の上面には、外レール２２Ａおよび内レール２２Ｂが立設されている。内レール２２Ｂの室内側において、断熱部材２２３の上方には、断熱性カバー２２６が配置されており、断熱部材２２３が露出するのを防いでいる。
断熱性カバー２２６は、室外側の端部が前記内レール２２Ｂに係止された状態とされ、この状態で室内側の端部が木ねじ２２７で延設部材４０の室外側の端部に固定されている。この際、木ねじ２２７により、室内部材２２１の室内側も同時に延設部材４０の室外側の端部に固定されており、これにより、新設下枠２２も断熱性カバー２２６を介して延設部材４０に固定されることになる。
【００２３】
新設縦枠２３の室内側には取付片２３１が設けられ、この取付片２３１が取付縦枠１３の平坦面部１３Ａから突設された取付片１３２に室内側からのビス２３２で固定されている。また、新設縦枠２３の見込み方向の略中央から突設された取付片２３３は、室外側からのビス２３４により取付縦枠１３の室外側の端面に固定されている。そして、取付片２３３と取付縦枠１３との間にも、図示しない水密テープが挟持され、この間から雨水等が浸入するのを防いでいる。ただし、新設縦枠２３がビス２３４によって取付強度上問題なく取付縦枠１３に取り付けられる場合には、ビス２３２による取付を省略してもよい。
一方（図２中の左側）の新設縦枠２３において、室内側の端部と外障子３０（図１）に密着するシール材用の取付片２３５との間には、断熱性カバー２３６が嵌め込まれ、他方（図２中の右側）の新設縦枠２３において、室内側の端部と内障子３０（図１）用のガイド片２３７との間には、断熱性カバー２３８が嵌め込まれ、これらの部分で結露が生じても、結露水を隠して見えなくできる。各断熱性カバー２３６，２３８の室内側の端部は、延設部材４０の室外側の端部にビス２３９で固定されている。つまり、新設縦枠２３も断熱性カバー２３６，２３８を介して延設部材４０に固定されることになる。
【００２４】
なお、障子３０は、上框３１、下框３２、および竪框３３を四周枠組みして構成された框体の内部にガラスパネル３４（本実施形態では複層）を組み入れた構成である。各框３１〜３３は、符号を省略して説明するが、室内側の樹脂形材製の室内部材と、室外側のアルミの押出形材製の室外部材とを互いに接合させた構成であり、断熱性能を有したアルミ・樹脂の複合框になっている。このような障子３０は公知であるため、さらなる詳細な説明を省略する。
【００２５】
〔延設部材の説明〕
延設部材４０は、取付上枠１１を開口部１０４の内周側から覆う天板４１と、同様に取付下枠１２を覆う地板４２と、同様に取付縦枠１３を覆う側板４３とを備え、本実施形態では縦勝ちで互いに当接されている。各板４１〜４３は平板状であり、平坦な内面を有している。
各板４１〜４３の室内側の端部は、開口部１０４と室内空間との略境界部分まで直線的に延設されているとともに、この端部には断面略コ字形の挿入部４４が設けられており、各挿入部４４にはそれぞれ、額縁４５を形成する上ケーシング４６、下ケーシング４７、および縦ケーシング４８が挿入され、接着等の適宜な固着手段で確実に固着されている。
これらのケーシング４６〜４８も、断面略コ字形であり、挿入部４４に挿入されない外側の折曲片部４９が室内側から内壁１０６に当接し、係止されている。
従って、各ケーシング４６〜４８で構成された額縁４５を介して延設部材４０の室内側が内壁１０６に係止されることになり、延設部材４０の室外側に固定された新設窓枠２０を当該延設部材４０を用いて補助的に支持できる。
また、各板４１〜４３の室外側の端部位置は、内壁１０６の厚み等によって変わるため、本実施形態ではその厚みを勘案して室外側の端部を適宜に切断し、各板４１〜４３の長さを調整している。
【００２６】
〔開き内窓の説明〕
開き内窓５０は、図３にも示すように、額縁４５を覆うように設けられたフレーム枠５１と、フレーム枠５１の室内側に配置されて当該フレーム枠５１にヒンジ５３（図２）を介して開閉自在に取り付けられた左右一対の扉５２とを備えている。
フレーム枠５１は、アルミの押出形材製の４本のフレーム材５４を互いに４５°接合して四周枠組みした構成であり、断面略コ字形のフレーム材５４は、内側の片部分が各板４１〜４３の挿入部４４近傍に嵌め込まれて木ねじ５４１で固定され、外側の片部分が図示しないビニールクロス等を介して内壁１０６に当接される。扉５２は、４本の框材５５を互いに４５°接合して形成した框枠内にガラスや樹脂製等の透光性を有する面材５６を嵌め込んだ構成であり、適宜な位置に設けられた図示略の把手を備えている。
そして、本実施形態の開き内窓５０では、框材５５の見付け寸法がフレーム材５４の見付け寸法よりも格段に小さく、扉５２を閉じた状態では、面材５６を通してフレーム材５４が見えるようになっている。この開き内窓５０、延設部材４０、および障子３０で囲まれる空間は、各板４１〜４３の見込み寸法分の奥行きを有した大きな収容スペース１０７とされ、任意の物を収容可能である。
なお、開き内窓５０のフレーム枠５１を取り付ける場合には、額縁４５を省略してもよく、延設部材４０の室内側をフレーム枠５１のみを介して内壁１０６に係止させてもよい。
【００２７】
このような本実施形態では、以下のようにして改装サッシ１を設置する。
先ず、建物側では、既設窓枠９０と取付枠１０との間に介在されることになる調整材や、まぐさ１０１あるいは柱１０３と取付枠１０との間に介在されることになる調整材を予め仮固定しておく。また、既設下枠９２にあっては、ブラケット１４およびブロック１５を取り付けておく。
一方で、取付枠１０および新設窓枠２０を四周枠組みしておき、建物に組み込む際に互いを一体に接合する。そして、一体とされた取付枠１０および新設窓枠２０を室外側から開口部１０４内に組み入れた後、取付上枠１１において、室外側から既設上枠９１にビス止めし、さらに、前述した木ねじで取付枠１０を開口部１０４の内周側からまぐさ１０１、窓台１０２、および柱１０３に固定する。
そして、外壁材１０５と新設窓枠２０との間にバックアップ材１１３およびコーキング材１１４を配置、充填し、止水処理を施す。
この後、延設部材４０を構成する各板４１〜４３を順次配置し、これらの室外側の端部を新設窓枠２０に固定する。この際には、各板４１〜４３の室内側に予め額縁４５の各ケーシング４６〜４８を固定しておき、ケーシング４６〜４８を内壁１０６に当接させるようにして各板４１〜４３を配置した後に、その室外端を新設窓枠２０に固定するのである。
次いで、額縁４５を覆うように開き内窓５０のフレーム枠５１を取り付けるのであるが、これは、個々のフレーム材５４を各ケーシング４６〜４８に個別に固定することで行う。そして、扉５２を回動自在にフレーム枠５１に取り付ける。
なお、障子３０は、延設部材４０が組み込まれた後の適宜なタイミングで新設窓枠２０内に建て付けられる。
【００２８】
このような本実施形態によれば、以下のような効果がある。
（１）　すなわち、改装サッシ１では、新設窓枠２０が既設窓枠９０よりも完全に室外側に位置しているので、見込み方向にわたる大きな収容スペース１０７を確保できる。そして、この際には、新設窓枠２０が取付枠１０を介してまぐさ１０１、窓台１０２、および柱１０３といった躯体に固定されるだけではなく、延設部材４０にも固定されているため、補助的に支持でき、全体の支持強度を大きくできる。また、後付けする部材としては、主に新設窓枠２０と取付枠１０とに分割されるので、取り扱いを良好にできる。加えて、延設部材４０は見込み方向にわたって形成されているから、すっきりとした単純な形状の収容スペース１０７を確保でき、使い勝手も良好にできる。
【００２９】
（２）　また、従来では、窓の改装に併せてその室内側に何ら造作物を設けることはなかったが、本実施形態では、延設部材４０の室内側の端部に開き内窓５０を設けたので、収容物を収容スペース１０７内に単に置くことができるだけではなく、収容物を取り出す必要のないときには、扉５２を閉めて室内空間の内観を良好に維持でき、機能性に優れた改装サッシ１を提供できる。
【００３０】
（３）　改装サッシ１では、取付枠１０の取付上枠１１および左右の取付縦枠１３のうち、延設部材４０と対向する部分は、熱絶縁部材１６で覆われているため、取付枠１０の延設部１１Ｃ，１３Ｃ等が室外に露出して外気に冷却されても、延設部材４０と対向する部分には熱絶縁部材１６によって結露が発生せず、結露水が延設部材４０に滴り落ちて悪さするのを防止できる。
【００３１】
（４）　取付枠１０の取付上枠１１には横樋部１１Ｆが設けられ、取付縦枠１３には横樋部１１Ｆと連通した縦樋部１３Ｅが設けられているので、取付上枠１１の上面（熱絶縁部材１６が貼られた面とが逆の面）や、既設上枠９１に結露が発生したり、雨水等が浸み入った場合でも、これらの水滴を横樋部１１Ｆから縦樋部１３Ｅを通して確実に排水でき、止水性を向上させることができる。
【００３２】
（５）　新設窓枠２０は取付枠１０の取付下枠１２を介してブラケット１４の支持面載１４Ｂに載置されているうえ、この支持面１４Ｂよりも室内側では、取付下枠１２がブラケット１４にビス止めされているため、この強度的に優位なブラケット１４で新設窓枠２０を確実に支持でき、室外側に大きな重量の障子３０が配置されても、新設窓枠２０が室外側に倒れ込むのを確実に防止できる。しかも、取付枠１０の取付上枠１１は、開口部１０４の内周側からの木ねじ１１１で躯体に固定されているのに加え、既設上枠９１といったより新設窓枠２０に近い位置でも室外側からのビス１１２で固定されているため、躯体の固定部分にかかる負担をさらに軽減でき、この点からも新設窓枠２０が室外側に倒れ込む心配がない。
【００３３】
〔第１変形例〕
図４には、機能ユニットの第１変形例が示されている。この機能ユニットは、フレーム枠５１の上部に配置されて室内側に延出した上レール部材６１と、下部に配置されて室内側に延出した下レール部材６２とを備え、これら上下のレール部材６１，６２にはミラーパネル６３が跨設されている。このミラーパネル６３の上部側および下部側には、それぞれタイヤ状の回転部材（不図示）が取り付けられており、この回転部材の回転によりミラーパネル６３を各レール部材６１，６２の長手方向に沿ってスムーズに移動させることが可能である。なお、回転部材を案内するガイド溝等は、上レール部材６１ではその上面側に、下レール部材６２ではその下面側に設けられており、特に下レール部材６２の上面にガイド溝等を設けないことで、この部分を平坦にでき、よって収容物等を安定して載置でき、かつ清掃等も容易にできるようになっている。
【００３４】
このような機能ユニットは、例えば洗面台の上方に設けられた窓を改装する際に取り付けられ、改装後に設置される洗面台としては、シンク部分が設けられたものを設置すればよく、この機能ユニットのミラーパネル６３を洗面台用のミラーとして機能的に用いることができる。また、このような機能ユニットをウォーキングクローゼット内の窓を改装する際に設けることで、ミラーパネル６３を姿見としても利用できる。
【００３５】
〔第２変形例〕
図５には、機能ユニットの第２変形例が示されている。この機能ユニットは、第１変形例のものに収容棚６４を配置したものである。この収容棚６４は、上下のレール部材６１，６２間に配置されている。また、上下のレール部材６１，６２の延出基端側には、それぞれ収容棚６４専用のレール部材６５，６６が設けられており、収容棚６４に設けられた回転部材（不図示）が各レール部材６５，６６にガイドされながら回転し、これに伴って収容棚６４も移動するようになっている。
【００３６】
〔第３変形例〕
図６に示す機能ユニットは、例えばキッチンの流し台正面の窓を改装した場合に取り付けられるものであり、上下のレール部材６１，６２には複数（本例では２枚）のパネル体６７が跨設されている。パネル体６７は、四周枠組みされた枠体６８内にガラス製あるいは樹脂製などの面材６９を嵌め込んだ構成であって、見付け寸法の大きい上枠７１および下枠７２の裏側には回転部材が取り付けられており、やはり移動可能である。
このような機能ユニットでも、必要に応じて収容物を室内側から見え難くしたり、あるいは流し台での食器洗い中に水しぶきが収容スペース１０７内にはねるのを有効に防止できる。
【００３７】
〔第４変形例〕
図７に示す機能ユニットは、図６に示したパネル体６７の面材６９を水平な複数（本例では３本）のバー部材７３に代えたものであり、このバー部材７３には室内側および室外側の両方に籠部材７４を引っ掛ける等して取り付けることが可能である。この機能ユニットでは、物を収容スペース１０７内に収容できるのに加え、籠部材７４にも載せることができる。
【００３８】
〔第５変形例〕
図８に示す機能ユニットは、図６に示したパネル体６７の面材６９を網体７５に代えたものであり、この網体７５にはフック付の様々な調理器具等を引っ掛けることができる。
【００３９】
〔第６変形例〕
図９に示す変形例では、延設部材４０を構成する地板４２の室内側が室空間に大きく延出して延出部４２Ａになっている。また、延出部４２Ａの下方には、内壁に固定された棚板７６が設けられており、この棚板７６上に物を置くことができるようになっている。なお、図示を省略するが延出部４２Ａおよび棚板７６の側方に側板７７（二点鎖線）を設けて箱状の収容スペースを設けてもよく、さらに、このような収容スペースを開閉自在な扉やハッチ等で覆ってもよい。
また、本変形例では、額縁４５を覆うフレーム枠５１（図１、図２）は設けられておらず、額縁４５がそのまま露出している。
【００４０】
その他、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００４１】
例えば、機能ユニットとしても、図３ないし図９に示したものに限定されず、任意の構造のユニットであってよい。
また、前記実施形態では、既設のサッシおよび改装サッシ１が引違い窓であったが、窓種はこれに限定されるものではなく、辷り出し窓、片引き窓、開き窓（内開き、外開き）、嵌め殺し窓、上げ下げ窓、ルーバー窓など、任意の窓種であってよく、また、既設のサッシと改装サッシとで窓種を違えてもよい。
【００４２】
さらに、本発明に係る新設窓枠の枠材の形態は任意であり、枠材の全体がアルミ等の金属製であっても（新設上枠２１、新設縦枠２３参照）、枠材が金属製の室内外部材とこれらを連結する合成樹脂製の断熱部材とで構成された断熱枠であっても（新設下枠２２参照）、金属製の室外部材と合成樹脂製の室内部材とで構成されたものであってもよい。さらに、枠材としては、全体が合成樹脂で形成されたいわゆる樹脂枠であってもよい。要するに、枠材の形態は、改装時に要求される断熱性能に応じて任意に決められてよい。
【００４３】
【発明の効果】
以上に述べたように、本発明の改装サッシによれば、木造建築の建物においても見込み方向に大きい収容スペースを確実に確保しつつ、新設窓枠を確実に支持でき、かつ取扱性や使い勝手を容易にできるという効果がある。
【図面の簡単な説明】
【図１】本発明の一実施形態に係る改装サッシを示す縦断面図。
【図２】前記改装サッシを示す横断面図。
【図３】前記改装サッシに設けられた機能ユニットを室内側から示す斜視図。
【図４】本発明の第１変形例を示す斜視図。
【図５】本発明の第２変形例を示す斜視図。
【図６】本発明の第３変形例を示す斜視図。
【図７】本発明の第４変形例を示す斜視図。
【図８】本発明の第５変形例を示す斜視図。
【図９】本発明の第６変形例を示す斜視図。
【符号の説明】
１…改装サッシ、１０…取付枠、１１Ｆ…横樋部、１３Ｅ…縦樋部、１６…熱絶縁部材、２０…新設窓枠、４０…延設部材、４５…額縁、５０…機能ユニットである開き内窓、９０…既設窓枠、１０１…躯体であるまぐさ、１０２…躯体である窓台、１０３…躯体である柱、１０４…開口部。
【図１】
2004100170.tif 000003
【図２】
2004100170.tif 000004
【図３】
2004100170.tif 000005
【図４】
2004100170.tif 000006
【図５】
2004100170.tif 000007
【図６】
2004100170.tif 000008
【図７】
2004100170.tif 000009
【図８】
2004100170.tif 000010
【図９】
2004100170.tif 000011